(57)【要約】  【課題】  関連のある番組コンテンツデータを同一の脱着式記録媒体にダビングする場合に、誤った脱着式記録媒体へのダビングを防止できる録画装置を提供する。  【解決手段】  制御部１０は、ユーザによってＨＤ２０ａからＤＶＤ１９ａへダビングする番組データが選択された場合、選択された番組データのタイトルを抽出する。制御部１０は、抽出したタイトルの前半部分を検索キーワードとして、ＤＶＤ１９ａに録画されている番組データのタイトルに対して前方一致検索を行ない、類似するタイトルが検索できない場合、選択された番組データをＤＶＤ１９ａへダビングするか否かを確認する。制御部１０は、ＤＶＤ１９ａへのダビングの中止が指示された場合、駆動モータを適切に駆動させることによってＤＶＤ１９ａが載置された載置トレイを録画装置１から排出する。【選択図】      図１
2006262012.tif 000002
【特許請求の範囲】
【請求項１】
番組コンテンツデータ及び該番組コンテンツデータに係る番組情報を記録する記録媒体と、番組コンテンツデータ及び該番組コンテンツデータに係る番組情報を記録する脱着式記録媒体の装着が可能な装着部と、前記記録媒体に記録してある番組コンテンツデータ及び該番組コンテンツデータに係る番組情報を前記装着部に装着された脱着式記録媒体にダビングするダビング手段とを備える録画装置において、
前記記録媒体から前記脱着式記録媒体へダビングする番組コンテンツデータの選択を受け付ける受付手段と、
該受付手段が選択を受け付けた番組コンテンツデータに係る番組情報に関連する番組情報を前記脱着式記録媒体から検索する検索手段と、
該検索手段が前記番組情報を検索できない場合、前記受付手段が選択を受け付けた番組コンテンツデータの前記脱着式記録媒体へのダビングの実行を問う旨を通知する通知手段と
を備えることを特徴とする録画装置。
【請求項２】
前記通知手段が通知した場合、前記受付手段が選択を受け付けた番組コンテンツデータの前記脱着式記録媒体へのダビングを行なうか否かの指示を受け付ける手段と、
前記脱着式記録媒体へのダビングを行なわない指示を受け付けた場合、前記脱着式記録媒体を前記装着部から排出する手段と
を備えることを特徴とする請求項１に記載の録画装置。
【請求項３】
番組コンテンツデータ及び該番組コンテンツデータに係る番組情報を記録する記録媒体と、番組コンテンツデータ及び該番組コンテンツデータに係る番組情報を記録する脱着式記録媒体の装着が可能な装着部と、前記記録媒体に記録してある番組コンテンツデータ及び該番組コンテンツデータに係る番組情報を前記装着部に装着された脱着式記録媒体にダビングするダビング手段とを備える録画装置において、
前記記録媒体から前記脱着式記録媒体へダビングする番組コンテンツデータの選択を受け付ける受付手段と、
該受付手段が選択を受け付けた番組コンテンツデータに係る番組情報に関連する番組情報を前記脱着式記録媒体から検索する検索手段と、
該検索手段が前記番組情報を検索できない場合、前記脱着式記録媒体を前記装着部から排出する手段と
を備えることを特徴とする録画装置。
【請求項４】
前記番組情報は、番組コンテンツデータに係る番組タイトルを含むことを特徴とする請求項１乃至３のいずれかひとつに記載の録画装置。
【請求項５】
前記ダビング手段は、前記検索手段が前記番組情報を検索できた場合、前記受付手段が受け付けた選択に従って、前記記録媒体に記録してある番組コンテンツデータ及び該番組コンテンツデータに係る番組情報を前記脱着式記録媒体にダビングするように構成してあることを特徴とする請求項１乃至４のいずれかひとつに記載の録画装置。
【請求項６】
前記脱着式記録媒体の記録可能な残容量を検出する検出手段と、
該検出手段が検出した残容量に基づいて、前記受付手段が選択を受け付けた番組コンテンツデータが前記脱着式記録媒体にダビング可能であるか否かを判断する手段とを備え、
前記ダビング手段は、前記番組コンテンツデータが脱着式記録媒体にダビング可能であると判断された場合、前記番組コンテンツデータ及び該番組コンテンツデータに係る番組情報を前記記録媒体から前記脱着式記録媒体へダビングするように構成してあることを特徴とする請求項５に記載の録画装置。
【発明の詳細な説明】
【技術分野】
【０００１】
本発明は、番組コンテンツデータを記録する記録媒体を備え、番組コンテンツデータを記録する脱着式記録媒体の装着が可能であり、前記記録媒体に記録してある番組コンテンツデータを前記脱着式記録媒体にダビングできる録画装置に関する。
【背景技術】
【０００２】
テレビジョン放送信号を受信し、受信したテレビジョン放送信号の番組コンテンツデータ（以下、番組データともいう）を記録媒体に記録し、必要に応じて接続されたテレビジョン装置で再生する記録再生装置が普及している。記録再生装置としては、記録媒体に磁気テープを用いるビデオカセットレコーダ（ＶＣＲ）、ＨＤＤ（Hard Disk Drive）に代表される磁気ディスク、ＤＶＤ−ＲＷ（Digital Versatile Disk-ReWritable）及びＤＶＤ−Ｒ（Digital Versatile Disk-Recordable）等の書き込みが可能なＤＶＤに代表される光ディスク等を記録媒体として用いるビデオディスクレコーダ等が実用化されている。
【０００３】
また、大容量のＨＤＤを備えると共にＤＶＤへの録画が可能な記録再生装置も普及しており、ユーザは好きなテレビ番組の番組データを、ＨＤＤの残りの記録容量を気にすることなく手軽に記録しておき、気に入ったテレビ番組のみをＤＶＤに記録（転記）して残しておくことができる。更に、近年では、複数の記録再生装置をネットワークを介して接続することによってネットワークシステムを構成し、１つの記録再生装置に録画させた番組データを編集し、また、ネットワークを介して他の記録再生装置にダビングすることが可能である（例えば、特許文献１参照）。
【特許文献１】特開２００１−１６７５１６号公報
【発明の開示】
【発明が解決しようとする課題】
【０００４】
上述したようにＨＤＤに一旦記録させた番組データをＤＶＤにダビングする場合、ユーザは、例えば全１２回の連続ドラマのように、関連する内容の番組データ又は類似した内容の番組データを同一のＤＶＤにダビングしたいという要望がある。しかし、ユーザは、連続ドラマにおける各回の番組データをどのＤＶＤにダビングしたか、又はダビングすべく装入したＤＶＤに既にダビングしてある番組データが何回目の放送の番組データであるか等を適宜確認する必要がある。従って、多数のＤＶＤから所望のＤＶＤを適切に選択することは非常に煩雑であり、ユーザによる操作負担を要するという問題を有している。
【０００５】
本発明は斯かる事情に鑑みてなされたものであり、その目的とするところは、記録媒体から脱着式記録媒体へダビングすべく選択された番組コンテンツデータに関連する番組コンテンツデータが前記脱着式記録媒体に記録されていない場合、選択された番組コンテンツデータの脱着式記録媒体へのダビングの実行を問う旨を通知することにより、選択した番組コンテンツデータの誤った脱着式記録媒体へのダビングを防止することが可能な録画装置を提供することにある。
【０００６】
本発明の他の目的は、記録媒体から脱着式記録媒体へダビングすべく選択された番組コンテンツデータに関連する番組コンテンツデータが前記脱着式記録媒体に記録されていない場合、前記脱着式記録媒体を排出することにより、異なる脱着式記録媒体を新たに装着するようにユーザに促すことができ、多数の脱着式記録媒体から所望のものを容易に探し出すことが可能な録画装置を提供することにある。
【０００７】
本発明の他の目的は、記録媒体から脱着式記録媒体へダビングすべく選択された番組コンテンツデータの番組タイトルに関連する番組タイトルの番組コンテンツデータが前記脱着式記録媒体に記録してあるかを検索することにより、関連する番組タイトルの番組コンテンツデータを同一の脱着式記録媒体にダビングする場合に、多数の脱着式記録媒体から所望のものを容易に探し出すことが可能な録画装置を提供することにある。
【０００８】
本発明の他の目的は、脱着式記録媒体の記録可能な残容量に応じて、選択された番組コンテンツデータを記録媒体から脱着式記録媒体へダビングするか否かを判断することにより、関連する番組コンテンツデータを同一の脱着式記録媒体に確実にダビングすることが可能な録画装置を提供することにある。
【課題を解決するための手段】
【０００９】
本発明に係る録画装置は、番組コンテンツデータ及び該番組コンテンツデータに係る番組情報を記録する記録媒体と、番組コンテンツデータ及び該番組コンテンツデータに係る番組情報を記録する脱着式記録媒体の装着が可能な装着部と、前記記録媒体に記録してある番組コンテンツデータ及び該番組コンテンツデータに係る番組情報を前記装着部に装着された脱着式記録媒体にダビングするダビング手段とを備える録画装置において、前記記録媒体から前記脱着式記録媒体へダビングする番組コンテンツデータの選択を受け付ける受付手段と、該受付手段が選択を受け付けた番組コンテンツデータに係る番組情報に関連する番組情報を前記脱着式記録媒体から検索する検索手段と、該検索手段が前記番組情報を検索できない場合、前記受付手段が選択を受け付けた番組コンテンツデータの前記脱着式記録媒体へのダビングの実行を問う旨を通知する通知手段とを備えることを特徴とする。
【００１０】
本発明によれば、番組コンテンツデータ及び該番組コンテンツデータに係る番組情報を記録する記録媒体を備え、脱着式記録媒体の装着が可能な録画装置が、記録媒体から脱着式記録媒体へダビングする番組コンテンツデータの選択を受け付けた場合、選択された番組コンテンツデータに係る番組情報に関連する番組情報を脱着式記録媒体から検索し、前記番組情報を検索できない場合、選択された番組コンテンツデータの脱着式記録媒体へのダビングの実行を問う旨を通知する。よって、前記記録媒体から前記脱着式記録媒体へダビングすべく選択された番組コンテンツデータに関連する番組コンテンツデータが前記脱着式記録媒体に記録されていない場合、選択された番組コンテンツデータを前記脱着式記録媒体へダビングするか否かの再確認を行なうことが可能となる。
【００１１】
本発明に係る録画装置は、前記通知手段が通知した場合、前記受付手段が選択を受け付けた番組コンテンツデータの前記脱着式記録媒体へのダビングを行なうか否かの指示を受け付ける手段と、前記脱着式記録媒体へのダビングを行なわない指示を受け付けた場合、前記脱着式記録媒体を前記装着部から排出する手段とを備えることを特徴とする。
【００１２】
本発明によれば、選択された番組コンテンツデータの脱着式記録媒体へのダビングの実行を問う旨が通知され、選択された番組コンテンツデータの前記脱着式記録媒体へのダビングを行なわない指示を受け付けた場合、前記脱着式記録媒体を排出する。よって、記録媒体から脱着式記録媒体へダビングすべく選択された番組コンテンツデータに関連する番組コンテンツデータが前記脱着式記録媒体に記録されておらず、選択された番組コンテンツデータを前記脱着式記録媒体へダビングするか否かの再確認を行なった場合に、選択された番組コンテンツデータの前記脱着式記録媒体へのダビングを行なわない指示を受け付けた場合、前記脱着式記録媒体を排出し、異なる脱着式記録媒体を新たに装着するようにユーザに促すことが可能となる。
【００１３】
本発明に係る録画装置は、番組コンテンツデータ及び該番組コンテンツデータに係る番組情報を記録する記録媒体と、番組コンテンツデータ及び該番組コンテンツデータに係る番組情報を記録する脱着式記録媒体の装着が可能な装着部と、前記記録媒体に記録してある番組コンテンツデータ及び該番組コンテンツデータに係る番組情報を前記装着部に装着された脱着式記録媒体にダビングするダビング手段とを備える録画装置において、前記記録媒体から前記脱着式記録媒体へダビングする番組コンテンツデータの選択を受け付ける受付手段と、該受付手段が選択を受け付けた番組コンテンツデータに係る番組情報に関連する番組情報を前記脱着式記録媒体から検索する検索手段と、該検索手段が前記番組情報を検索できない場合、前記脱着式記録媒体を前記装着部から排出する手段とを備えることを特徴とする。
【００１４】
本発明によれば、番組コンテンツデータ及び該番組コンテンツデータに係る番組情報を記録する記録媒体を備え、脱着式記録媒体の装着が可能な録画装置が、記録媒体から脱着式記録媒体へダビングする番組コンテンツデータの選択を受け付けた場合、選択された番組コンテンツデータに係る番組情報に関連する番組情報を脱着式記録媒体から検索し、前記番組情報を検索できない場合、前記脱着式記録媒体を排出する。よって、前記記録媒体から前記脱着式記録媒体へダビングすべく選択された番組コンテンツデータに関連する番組コンテンツデータが前記脱着式記録媒体に記録されていない場合、前記脱着式記録媒体を排出し、装着された脱着式記録媒体は誤って装着されたものであることをユーザに通知すると共に、異なる脱着式記録媒体を新たに装着するようにユーザに促すことが可能となる。
【００１５】
本発明に係る録画装置は、前記番組情報は、番組コンテンツデータに係る番組タイトルを含むことを特徴とする。
【００１６】
本発明によれば、記録媒体及び脱着式記録媒体に番組コンテンツデータと共に番組タイトルを記録させることにより、記録媒体から脱着式記録媒体へダビングすべく選択された番組コンテンツデータの番組タイトルに関連する番組タイトルの番組コンテンツデータが前記脱着式記録媒体に記録してあるかを検索することが可能となる。
【００１７】
本発明に係る録画装置は、前記ダビング手段は、前記検索手段が前記番組情報を検索できた場合、前記受付手段が受け付けた選択に従って、前記記録媒体に記録してある番組コンテンツデータ及び該番組コンテンツデータに係る番組情報を前記脱着式記録媒体にダビングするように構成してあることを特徴とする。
【００１８】
本発明によれば、記録媒体から脱着式記録媒体へダビングすべく選択された番組コンテンツデータに係る番組情報に関連する番組情報を脱着式記録媒体から検索できた場合、選択された番組コンテンツデータ及び該番組コンテンツデータに係る番組情報を前記記録媒体から前記脱着式記録媒体へダビングする。よって、関連する番組情報の番組コンテンツデータを同一の脱着式記録媒体に記録させることが可能となる。
【００１９】
本発明に係る録画装置は、前記脱着式記録媒体の記録可能な残容量を検出する検出手段と、該検出手段が検出した残容量に基づいて、前記受付手段が選択を受け付けた番組コンテンツデータが前記脱着式記録媒体にダビング可能であるか否かを判断する手段とを備え、前記ダビング手段は、前記番組コンテンツデータが脱着式記録媒体にダビング可能であると判断された場合、前記番組コンテンツデータ及び該番組コンテンツデータに係る番組情報を前記記録媒体から前記脱着式記録媒体へダビングするように構成してあることを特徴とする。
【００２０】
本発明によれば、脱着式記録媒体の記録可能な残容量を検出し、検出した残容量に基づいて、記録媒体から脱着式記録媒体へダビングすべく選択された番組コンテンツデータが前記脱着式記録媒体にダビング可能であるか否かを判断し、前記番組コンテンツデータが前記脱着式記録媒体にダビング可能であると判断された場合、選択された番組コンテンツデータ及び該番組コンテンツデータに係る番組情報を前記記録媒体から前記脱着式記録媒体へダビングする。よって、脱着式記録媒体の残容量に応じて、選択された番組コンテンツデータのダビングを行なうことが可能となる。
【発明の効果】
【００２１】
本発明では、番組コンテンツデータ及び該番組コンテンツデータに係る番組情報を記録する記録媒体を備え、脱着式記録媒体の装着が可能な録画装置が、記録媒体から脱着式記録媒体へダビングする番組コンテンツデータの選択を受け付けた場合、選択された番組コンテンツデータに係る番組情報に関連する番組情報を脱着式記録媒体から検索する。そして、前記番組情報を検索できない場合、選択された番組コンテンツデータの脱着式記録媒体へのダビングの実行を問う旨を通知することにより、選択された番組コンテンツデータを前記脱着式記録媒体へダビングするか否かの再確認を行なうことができる。よって、関連する番組コンテンツデータを同一の脱着式記録媒体に記録させたい場合に、ユーザは、装着した脱着式記録媒体が、選択した番組コンテンツデータをダビングすべき脱着式記録媒体であるかを確認することができ、誤った脱着式記録媒体へのダビングを防止することがきる。
【００２２】
本発明では、記録媒体から脱着式記録媒体へダビングすべく選択された番組コンテンツデータに関連する番組コンテンツデータが前記脱着式記録媒体に記録されておらず、選択された番組コンテンツデータを前記脱着式記録媒体へダビングするか否かの再確認を行なった場合に、選択された番組コンテンツデータの前記脱着式記録媒体へのダビングを行なわない指示を受け付けた場合、前記脱着式記録媒体を排出する。よって、異なる脱着式記録媒体を新たに装着するようにユーザに促すことができ、これに従ってユーザは、容易に所望の脱着式記録媒体を探し出すことができる。
【００２３】
本発明では、番組コンテンツデータ及び該番組コンテンツデータに係る番組情報を記録する記録媒体を備え、脱着式記録媒体の装着が可能な録画装置が、記録媒体から脱着式記録媒体へダビングする番組コンテンツデータの選択を受け付けた場合、選択された番組コンテンツデータに係る番組情報に関連する番組情報を脱着式記録媒体から検索する。そして、前記番組情報を検索できない場合、前記脱着式記録媒体を排出する。よって、選択された番組コンテンツデータに関連する番組コンテンツデータが前記脱着式記録媒体に記録されておらず、装着された脱着式記録媒体は誤って装着されたものであることをユーザに通知できると共に、異なる脱着式記録媒体を新たに装着するようにユーザに促すことができる。従って、ユーザは、関連する番組コンテンツデータを同一の脱着式記録媒体に記録させたい場合に、装着した脱着式記録媒体が、選択した番組コンテンツデータをダビングすべき脱着式記録媒体であるかを知ることができ、所望の脱着式記録媒体を容易に探し出すことができる。
【００２４】
本発明では、記録媒体から脱着式記録媒体へダビングすべく選択された番組コンテンツデータの番組タイトルに関連する番組タイトルの番組コンテンツデータが前記脱着式記録媒体に記録してあるかを検索することにより、関連する番組タイトルの番組コンテンツデータを同一の脱着式記録媒体に記録させたい場合に、ユーザは容易に所望の脱着式記録媒体を探し出すことができる。
【００２５】
本発明では、記録媒体から脱着式記録媒体へダビングすべく選択された番組コンテンツデータに係る番組情報に関連する番組情報を脱着式記録媒体から検索できた場合、選択された番組コンテンツデータ及び該番組コンテンツデータに係る番組情報を前記記録媒体から前記脱着式記録媒体へダビングすることにより、関連する番組情報の番組コンテンツデータを同一の脱着式記録媒体に容易に記録させることができる。
【００２６】
本発明では、脱着式記録媒体の記録可能な残容量に基づいて、記録媒体から脱着式記録媒体へダビングすべく選択された番組コンテンツデータが前記脱着式記録媒体にダビング可能であるか否かを判断する。そして、前記番組コンテンツデータが前記脱着式記録媒体にダビング可能であると判断された場合、選択された番組コンテンツデータ及び該番組コンテンツデータに係る番組情報を前記記録媒体から前記脱着式記録媒体へダビングすることにより、脱着式記録媒体の残容量に応じて、選択された番組コンテンツデータのダビングを確実に行なうことができる。
【発明を実施するための最良の形態】
【００２７】
以下に、本発明に係る録画装置をその実施形態を示す図面に基づいて詳述する。図１は本発明に係る録画装置の構成例を示すブロック図である。図１において破線はテレビジョン放送に係る放送番組の番組信号・番組コンテンツデータ（番組データ）の流れを示している。本実施形態の録画装置１は、受信したテレビジョン放送信号の番組データを記録する記録媒体としてＨＤ及びＤＶＤを用いることができる。また、録画装置１は、液晶ディスプレイ又はＣＲＴディスプレイ等のモニタ装置３と、映像信号用の映像ケーブル及び音声信号用の音声ケーブルを介して接続されており、録画装置１が受信した放送番組、録画装置１が録画した放送番組等をモニタ装置３に表示させることができる。
【００２８】
更に、録画装置１は、リモートコントロール装置（以下、リモコン装置という）１ａとの間で赤外線を利用したＩｒＤＡ（Infrared Data Association）規格に従う無線通信が可能に構成されており、リモコン装置１ａによって遠隔から操作することができる。なお、録画装置１とリモコン装置１ａとを、赤外線を利用した無線通信だけでなく、例えば、ＩＥＥＥ８０２．１１ｂ規格に準拠した無線ＬＡＮ、及びBluetooth規格に従う無線通信等を介して接続してもよい。
【００２９】
録画装置１は、制御部１０、ＲＯＭ１１、ＲＡＭ１２、チューナ部１３、操作部１４、表示部１５、日時管理部１６、予約管理部１７、記録再生部１８、ＤＶＤドライブ１９、ＨＤＤ２０、映像ケーブル及び音声ケーブルを介してモニタ装置３へ番組信号を出力するための出力部２１、リモコンコード解析部２２、リモコン装置１ａからの赤外線を受光する赤外線受光部２３等を備えており、夫々はバス１０ａを介して相互に接続されている。
【００３０】
制御部１０は、ＣＰＵ（Central Processing Unit ）又はＭＰＵ（Micro Processor Unit）等により構成されており、バス１０ａを介して接続される上述したようなハードウェア各部を制御すると共に、ＲＯＭ１１に予め格納されている制御プログラムを適宜ＲＡＭ１２に読み出して実行する。ＲＯＭ１１は、録画装置１を本発明に係る録画装置として動作させるために必要な種々の制御プログラム、録画装置１に関する各種のメニュー画像等を予め記憶している。ＲＡＭ１２は、ＳＲＡＭ又はフラッシュメモリ等で構成されており、制御部１０による制御プログラムの実行時に発生するデータを一時的に記憶する。
【００３１】
チューナ部１３は、例えばＵＨＦテレビジョン放送信号及びＶＨＦテレビジョン放送信号、ＢＳ放送信号又はＣＳ放送信号等の受信用チューナであり、放送中継基地２の方向に向けて配置されたアンテナ２ａと接続されている。チューナ部１３は、ユーザにより選択された放送チャンネルに応じてアンテナ２ａで受信した電波を検波して放送番組の番組信号を受信し、受信した番組信号を記録再生部１８又は出力部２１へ転送する。なお、チューナ部１３が受信した番組信号に含まれる音声信号は、図示しないスピーカへ入力されて音声出力される。
【００３２】
操作部１４は、録画装置１をユーザが操作するために必要な各種のファンクションキーを備えており、ユーザにより各キーが操作された場合、操作されたキーに対応した制御信号を制御部１０へ送出する。これにより、制御部１０は操作部１４から取得する制御信号に従って各種処理を実行する。具体的に操作部１４には、録画装置１による放送番組の録画処理を開始させるための録画キー、録画装置１に録画してある放送番組の再生を開始させるための再生キー、録画処理又は再生処理を終了させるための停止キー等が設けられている。
【００３３】
赤外線受光部２３は、リモコン装置１ａからの赤外線を受光して所定の電気信号に変換し、得られた電気信号をリモコンコード解析部２２へ転送する。リモコンコード解析部２２は、赤外線受光部２３から取得した電気信号を解析し、リモコン装置１ａから入力された制御信号を取得し、取得した制御信号を制御部１０へ送出する。従って、制御部１０は、リモコン装置１ａから送信されてリモコンコード解析部２２によって解析された制御信号に従って各種処理を実行する。なお、リモコン装置１ａには、録画キー、再生キー及び停止キーのほかに、１〜１２の数字キー、十字キー、決定キー及びクリアキー等が設けられている。
【００３４】
表示部１５は、例えば液晶モニタによって構成されており、録画装置１の動作状態の表示、ユーザに対して通知すべき情報の表示等を行なう。なお、表示部１５をタッチパネル方式とすることにより、操作部１４の各種のキーのうちの一部又は全部を代用することも可能である。また、録画装置１は、ＲＯＭ１１に記憶してあるメニュー画像を表示部１５に表示させるだけでなく、出力部２１からモニタ装置３へ出力される番組データに基づく映像の上に、メニュー画像を表示させることもできる。
【００３５】
日時管理部１６は、絶対時間（年、月、日、時、分、秒）を示す時計手段を備えており、制御部１０からの指示に従って現在日時を制御部１０又は予約管理部１７等へ通知し、主としてタイマ予約（以下、予約という）による放送番組の録画処理に利用される。
【００３６】
予約管理部１７は、ユーザが操作部１４又はリモコン装置１ａを操作することによって予約された録画処理を示す予約情報を登録する予約管理テーブルを有している。予約管理テーブルには、図２（ａ）に示すように、予約された録画処理毎に、識別するための予約番号、放送番組のジャンル、放送チャンネル、録画開始の日時を示す開始日時、録画終了の日時を示す終了日時、放送番組のタイトル等が登録されている。なお、予約管理テーブルは、制御部１０がユーザによる録画処理の予約を受け付ける都度、及び予約された録画処理が終了する都度、制御部１０によって更新される。
【００３７】
予約管理部１７は、制御部１０からの制御に従って日時管理部１６から取得する現在日時に基づいて、予約管理テーブルに登録されている各録画処理の開始日時が経過したか否かを判断しており、経過したと判断した場合、記録再生部１８に録画処理を開始させる。また、予約管理部１７は、予約管理テーブルに登録されている各録画処理の終了日時が経過したか否かを判断しており、経過したと判断した場合、記録再生部１８に録画処理を終了させる。
【００３８】
なお、アンテナ２ａが受信する電波には、番組信号に係る電波のほかに、各放送局が放送する放送番組のジャンル、放送チャンネル、放送開始日時、放送終了日時及びタイトル等を示す番組情報を含むＥＰＧ（電子番組表）信号に係る電波が定期的に含まれる。従って、録画装置１は、アンテナ２ａで受信したＥＰＧ信号を利用して録画処理の予約を行なうこともできる。
【００３９】
記録再生部１８は、エンコーダを有しており、チューナ部１３から転送された番組信号をエンコーダにより所定形式の番組データに符号化圧縮し、接続されているＤＶＤドライブ１９又はＨＤＤ２０へ出力する。なお、エンコード形式としては、例えばＭＰＥＧ形式、ＤＶ圧縮形式、モーションＪＰＥＧ形式等を用いることができる。また、記録再生部１８は、デコーダを有しており、ＤＶＤドライブ１９によってＤＶＤ１９ａに記録された番組データ又はＨＤＤ２０によってＨＤ２０ａに記録された番組データを読み出してデコーダにより番組信号に復号化伸張し、伸張した番組信号を出力部２１へ転送する。
【００４０】
なお、記録再生部１８は、ユーザが操作部１４又はリモコン装置１ａから録画処理の開始を指示した場合、又は予約管理部１７から録画処理の開始を指示された場合に、番組データのＤＶＤドライブ１９又はＨＤＤ２０への転送を開始し、ＤＶＤ１９ａ又はＨＤ２０ａへの番組データの録画を開始する。また、記録再生部１８は、ユーザが操作部１４又はリモコン装置１ａから録画処理の終了を指示した場合、又は予約管理部１７から録画処理の終了を指示された場合に、番組データのＤＶＤドライブ１９又はＨＤＤ２０への転送を終了し、ＤＶＤ１９ａ又はＨＤ２０ａへの番組データの録画を終了する。
【００４１】
ＤＶＤドライブ１９は、脱着式記録媒体であるＤＶＤ１９ａの装着が可能な装着部（図示せず）に装着されたＤＶＤ１９ａへのアクセスを行なうインタフェースであり、記録再生部１８により符号化圧縮された番組データをそれぞれファイル単位でＤＶＤ１９ａに記憶させる。なお、ＤＶＤドライブ１９は、１回だけ書き込みが可能なライトワンス型のＤＶＤ、書き換え可能な書き換え型のＤＶＤに対してデータの読み書きが可能である。更に、ＤＶＤドライブ１９は、記録再生部１８から取得してＤＶＤ１９ａに記録した番組データの録画情報（番組情報）を登録するＤＶＤ録画管理テーブルをＤＶＤ１９ａに記憶させている。
【００４２】
なお、装着部は、ＤＶＤ１９ａを載置するための載置トレイ（図示せず）、載置トレイをＤＶＤ装入口から出し入れするための駆動モータ（図示せず）等により構成されており、録画装置１の側面に設けられたＤＶＤ装入口から載置トレイが出し入れされることにより、ＤＶＤ１９ａの録画装置１への脱着を行なうことができる。制御部１０は、所定キーが操作された場合、装着部の駆動モータを駆動させて載置トレイをＤＶＤ装入口から排出し、また、所定キーが操作された場合、装着部の駆動モータを駆動させて載置トレイをＤＶＤ装入口から取り込む。なお、載置トレイを備えず、ＤＶＤ装入口から装入されたＤＶＤ１９ａを駆動モータによって録画装置１内部に取り込む構成の装着部とすることもできる。
【００４３】
ＤＶＤ録画管理テーブルには、図２（ｂ）に示すように、ＤＶＤ１９ａに録画された番組データ毎に、放送番組のジャンル、放送チャンネル、録画開始の日時を示す開始日時、録画終了の日時を示す終了日時、放送番組のタイトル、ＤＶＤ１９ａにおける記憶領域等を含む録画情報が登録されている。なお、ＤＶＤ録画管理テーブルは、ＤＶＤドライブ１９が記録再生部１８からの番組データをＤＶＤ１９ａに記録する都度、制御部１０によって更新される。また、図２（ｂ）に示すＤＶＤ録画管理テーブルを記憶しているＤＶＤ１９ａには、タイトルが「ＸＹＺドラマ第１話」の番組データのみが録画されている。
【００４４】
ＨＤＤ２０は、ＨＤ（記録媒体）２０ａを内蔵しており、記録再生部１８により符号化圧縮された番組データをそれぞれファイル単位でＨＤ２０ａに記憶させる。また、ＨＤＤ２０も、ＤＶＤドライブ１９と同様に、ＨＤＤ２０が記録再生部１８からの番組データをＨＤ２０ａに記録する都度制御部１０によって更新される、図３に示すようなＨＤ録画管理テーブルをＨＤ２０ａに記憶させている。
【００４５】
ＨＤ録画管理テーブルには、図３に示すように、ＨＤ２０ａに録画された番組データ毎に、放送番組のジャンル、放送チャンネル、録画開始の日時を示す開始日時、録画終了の日時を示す終了日時、放送番組のタイトル、ＨＤ２０ａにおける記憶領域等を含む録画情報が登録されている。また、本実施形態のＨＤ２０ａには、ＨＤ録画管理テーブルで示すように、タイトルが「ＡＡアニメ」、「ＸＹＺドラマ第２話」、「サッカーＡＡ」、「夜のニュース」、「ＸＹＺドラマ第３話」、「サスペンス」、「ＸＹＺドラマ第４話」、「ミュージックＣ」等の複数の番組データが録画されている。
【００４６】
出力部２１は、チューナ部１３から転送されてくる番組信号、記録再生部１８から転送されてくる番組信号をモニタ装置３へ出力してモニタ装置３に表示させる。また、出力部２１は、制御部１０による制御に従ってＲＯＭ１１から読み出されたメニュー画像を番組信号に重ね合わせてモニタ装置３へ出力し、録画装置１に関する各種メニュー画面をモニタ装置３に表示させる。
【００４７】
上述した構成により、本実施形態の録画装置１は、チューナ部１３で取得した番組信号に基づく放送番組をモニタ装置３に表示させることができ、また、チューナ部１３で取得した番組信号をＤＶＤ１９ａ又はＨＤ２０ａに録画し、必要に応じてＤＶＤ１９ａ又はＨＤ２０ａに録画した番組信号をモニタ装置３で再生させることができる。
【００４８】
また、本実施形態の録画装置１は、ＨＤＤ２０によってＨＤ２０ａに録画された番組データをＤＶＤドライブ（ダビング手段）１９によってＤＶＤ１９ａにダビングできるように構成されている。具体的には、制御部１０は、ＨＤ２０ａに録画された番組データをＨＤＤ２０によって読み出し、読み出した番組データを記録再生部１８を介してＤＶＤドライブ１９へ入力し、ＤＶＤドライブ１９によってＤＶＤ１９ａにダビングさせる。
【００４９】
ここで、本実施形態の録画装置１において、制御部１０は、ユーザによってＨＤ２０ａからＤＶＤ１９ａへのダビング処理の実行を受け付けた場合、ＨＤ２０ａに記録してあるＨＤ録画管理テーブルの登録内容に基づいて、図４（ａ）に示すようなＨＤＤ録画リストを作成し、作成したＨＤＤ録画リストを出力部２１から出力してモニタ装置３に表示させる。ＨＤＤ録画リストは、図４（ａ）に示すように、ＨＤ２０ａに録画してある各番組データについて、ジャンル、放送チャンネル、録画開始日時及び番組タイトルを表示している。
【００５０】
ユーザは、ＨＤＤ録画リストにおいて、リモコン装置１ａの上下キーを操作することにより、ＨＤ２０ａに録画してある番組データのうちのＤＶＤ１９ａにダビングする番組データを選択することができ、決定キーを操作することにより、選択した番組データのＨＤ２０ａからＤＶＤ１９ａへのダビング処理の開始を指示することができる。従って、このＨＤＤ録画リストにおいて、番組データが選択されて決定キーが操作された場合、制御部１０は、ＨＤ２０ａからＤＶＤ１９ａへダビングする番組データの選択を受け付ける受付手段として動作する。なお、図４（ａ）に示すＨＤＤ録画リストにおいては、タイトルが「ＸＹＺドラマ第２話」の番組情報がユーザによって選択されているが、複数の番組を一括して選択することもできる。
【００５１】
制御部１０は、ＨＤ２０ａからＤＶＤ１９ａへダビングすべき番組データの選択を受け付けた場合、録画装置１に装着されたＤＶＤ１９ａがライトワンス型のＤＶＤであるか否かを判断し、ライトワンス型のＤＶＤであると判断した場合、装着されたＤＶＤ１９ａが空のＤＶＤであるか否かを判断する。そして、制御部１０は、装着されたＤＶＤ１９ａが空のＤＶＤではないと判断した場合、ユーザによって選択された番組データの番組タイトルに類似する（関連する）番組タイトルの番組データがＤＶＤ１９ａに録画されているかを検索する検索手段として動作する。
【００５２】
具体的には、制御部１０は、ユーザによって選択された番組データの番組タイトルをＨＤ録画管理テーブルに登録してある録画情報から抽出する。また、制御部１０は、抽出した番組タイトルの前半部分を検索キーワードとして、ＤＶＤ１９ａに記憶してあるＤＶＤ録画管理テーブルに登録してある録画情報に対して前方一致検索を行なう。ここでは、ユーザによって選択された番組データの番組タイトルは「ＸＹＺドラマ第２話」であり、制御部１０は、この番組タイトルの前方部分である「ＸＹＺ」又は「ＸＹＺドラマ」等を検索キーワードにしてＤＶＤ録画管理テーブルを検索する。そして、制御部１０は、検索した結果、「ＸＹＺドラマ第１話」の番組タイトルを検索する。なお、制御部１０が行なう検索処理は、前方一致検索又は後方一致検索等、各種の検索処理を利用することができる。
【００５３】
このように、ＨＤ２０ａからＤＶＤ１９ａへダビングすべくユーザによって選択された番組データの番組タイトルに類似する番組タイトルの番組データがＤＶＤ１９ａに録画されている場合、制御部１０は、図４（ｂ）に示すような画面を例えばモニタ装置３に表示させて、選択された番組データのＨＤ２０ａからＤＶＤ１９ａへのダビング処理を開始する。具体的には、制御部１０は、ユーザによって選択された番組データをＨＤＤ２０によってＨＤ２０ａから読み出し、読み出した番組データを記録再生部１８を介してＤＶＤドライブ１９へ入力する。これにより、録画装置１は、ユーザによって選択された番組データをＤＶＤ１９ａにダビングさせることができる。なお、ＤＶＤドライブ１９によって番組データがＤＶＤ１９ａにダビングされた場合、ＤＶＤ１９ａにダビングされた番組データの番組情報がＤＶＤ１９ａに記憶されているＤＶＤ録画管理テーブルに登録される。
【００５４】
一方、制御部１０は、ＨＤ２０ａからＤＶＤ１９ａへダビングすべくユーザによって選択された番組データの番組タイトルに類似する番組タイトルをＤＶＤ録画管理テーブルから検索できない場合、即ち、選択された番組データの番組タイトルに類似する番組タイトルの番組データがＤＶＤ１９ａに録画されていない場合、図４（ｃ）に示すような通知画面を例えばモニタ装置３に表示させ、装着されているＤＶＤ１９ａへのダビングの実行を問う旨を通知する通知手段として動作する。
【００５５】
図４（ｃ）に示す通知画面において、ユーザは、リモコン装置１ａの決定キーを操作することにより、既に選択してある番組データのＤＶＤ１９ａへのダビング処理を開始させることができ、クリアキーを操作することにより、ＤＶＤ１９ａへのダビング処理を中止させることができる。従って、制御部１０は、選択された番組データのＨＤ２０ａからＤＶＤ１９ａへのダビング処理を行なうか否かの指示を受け付けており、この通知画面において決定キーが操作された場合、図４（ｂ）に示すような画面を例えばモニタ装置３に表示させて、選択された番組データのＨＤ２０ａからＤＶＤ１９ａへのダビング処理を開始する。
【００５６】
また、制御部１０は、図４（ｃ）に示す通知画面においてクリアキーが操作された場合、選択された番組データのＨＤ２０ａからＤＶＤ１９ａへのダビング処理を行なわない指示を受け付け、選択された番組データのＨＤ２０ａからＤＶＤ１９ａへのダビング処理を中止し、装着されたＤＶＤ１９ａを排出する。具体的には、制御部１０は、装着部の駆動モータを適切に駆動させることによってＤＶＤ１９ａが載置された載置トレイを録画装置１から排出する。
【００５７】
ユーザは、ＤＶＤ１９ａが排出された場合、異なるＤＶＤ１９ａを再度録画装置１に装着し、制御部１０は、ＨＤ２０ａからＤＶＤ１９ａへダビングすべく選択された番組データの番組タイトルに類似する番組タイトルの番組データが、再度装着されたＤＶＤ１９ａに録画されているかを検索する。
【００５８】
制御部１０は、上述したような検索処理を、書き換え型のＤＶＤが装着されるまで、空のＤＶＤが装着されるまで、ＨＤ２０ａからＤＶＤ１９ａへダビングすべく選択された番組データの番組タイトルに類似する番組タイトルの番組データが記録されたＤＶＤ１９ａが装着されるまで、又はユーザによってダビング処理の実行開始が指示されるまで繰り返して行なう。
【００５９】
また、制御部１０は、ダビング処理を開始させる際、ダビング先として装着されたＤＶＤ１９ａにおける記録可能な残容量を検出する検出手段として動作する。そして、制御部１０は、ＨＤ２０ａからＤＶＤ１９ａへダビングすべく選択された番組データの録画時間、録画倍率等と、ＤＶＤ１９ａの残容量とに基づいて、選択された番組データのＤＶＤ１９ａへのダビングが可能であるか否かを判断し、選択された番組データがＤＶＤ１９ａへダビングできると判断された場合、ダビング処理を開始する。なお、制御部１０は、選択された番組データがＤＶＤ１９ａへダビングできないと判断した場合には、例えば「ＤＶＤの残容量が足りないためダビングできません」のようなメッセージをモニタ装置３に表示させることによりユーザに通知する。
【００６０】
以下に、上述した構成の録画装置１によるＨＤ２０ａからＤＶＤ１９ａへの番組データのダビング処理についてフローチャートを参照しながら説明する。図５は本発明に係る録画装置１によるダビング処理の手順を示すフローチャートである。なお、以下に示す処理手順は一例であってこれに限られるものではない。また、以下の処理は、ＲＯＭ１１に予め格納してある制御プログラムに従って制御部１０が実行する。
【００６１】
ＨＤ２０ａに録画してある番組データをＤＶＤ１９ａにダビングしたいユーザは、ダビング先である所望のＤＶＤ１９ａを録画装置１に装着させ、リモコン装置１ａの所定のキーを操作することにより、ＨＤ２０ａからＤＶＤ１９ａへのダビング処理の実行を指示する。具体的には、ユーザは、図４（ａ）に示すようなＨＤＤ録画リストにおいて、リモコン装置１ａの所定のキーを操作することにより、所望の番組データのＨＤ２０ａからＤＶＤ１９ａへのダビング処理の実行を指示する。
【００６２】
ユーザによってＨＤ２０ａからＤＶＤ１９ａへのダビング処理の実行が指示された録画装置１において、制御部１０は、まず、ユーザによって装着されたＤＶＤ１９ａがライトワンス型のＤＶＤであるか否かを判断し（Ｓ１）、ライトワンス型のＤＶＤであると判断した場合（Ｓ１：ＹＥＳ）、装着されたＤＶＤ１９ａが空のＤＶＤであるか否かを判断する（Ｓ２）。制御部１０は、装着されたＤＶＤ１９ａが空のＤＶＤではないと判断した場合（Ｓ２：ＮＯ）、ユーザによってダビングすべく選択された番組データの番組タイトルをＨＤ録画管理テーブルに登録してある録画情報から抽出する（Ｓ３）。
【００６３】
制御部１０は、ステップＳ１で装着されたＤＶＤ１９ａがライトワンス型のＤＶＤではないと判断した場合（Ｓ１：ＮＯ）、又はステップＳ２で装着されたＤＶＤ１９ａが空のＤＶＤであると判断した場合（Ｓ２：ＹＥＳ）、ステップＳ８へ処理を移行する。次に制御部１０は、ＨＤ２０ａに記録してあるＨＤ録画管理テーブルから抽出したタイトルに類似するタイトルをＤＶＤ１９ａに記憶してあるＤＶＤ録画管理テーブルから検索する（Ｓ４）。具体的には、抽出したタイトルの前半部分を検索キーワードとして、ＤＶＤ録画管理テーブルに登録してある録画情報に対して前方一致検索を行ない、類似するタイトルが有るか否かを判断する（Ｓ５）。
【００６４】
制御部１０は、類似するタイトルが無いと判断した場合（Ｓ５：ＮＯ）、図４（ｃ）に示すような通知画面をモニタ装置３に表示させ、類似するタイトルの番組データがＤＶＤ１９ａに録画されていないことを通知すると共に、装着されているＤＶＤ１９ａへのダビングの実行を問う旨を通知する（Ｓ６）。また、制御部１０は、類似するタイトルが有ると判断した場合（Ｓ５：ＹＥＳ）、ステップＳ８へ処理を移行する。
【００６５】
制御部１０は、図４（ｃ）に示す通知画面において決定キーが操作されたか否かを判断しており（Ｓ７）、決定キーが操作されていないと判断した場合（Ｓ７：ＮＯ）、即ち、図４（ｃ）に示す通知画面においてクリアキーが操作された場合、ＨＤ２０ａからＤＶＤ１９ａへのダビング処理を中止し、装着されたＤＶＤ１９ａを排出する（Ｓ１１）。
【００６６】
制御部１０は、図４（ｃ）に示す通知画面において決定キーが操作されたと判断した場合（Ｓ７：ＹＥＳ）、装着されているＤＶＤ１９ａにおける記録可能な残容量を検出し（Ｓ８）、ＨＤ２０ａからＤＶＤ１９ａへダビングすべく選択された番組データの録画時間、録画倍率等と、ＤＶＤ１９ａの残容量とに基づいて、選択された番組データのＤＶＤ１９ａへのダビングが可能であるか否かを判断する（Ｓ９）。
【００６７】
制御部１０は、選択された番組データがＤＶＤ１９ａへダビングできると判断した場合（Ｓ９：ＹＥＳ）、ユーザによって選択された番組データをＨＤＤ２０によってＨＤ２０ａから読み出し、読み出した番組データを記録再生部１８を介してＤＶＤドライブ１９へ入力することにより、ＤＶＤドライブ１９によってＤＶＤ１９ａへダビングする（Ｓ１２）。一方、制御部１０は、選択された番組データがＤＶＤ１９ａへダビングできないと判断した場合（Ｓ９：ＮＯ）、ＨＤ２０ａからＤＶＤ１９ａへのダビング処理を中止し、ＤＶＤ１９ａの残容量が不足しているためにダビングできない旨を通知し（Ｓ１０）、装着されたＤＶＤ１９ａを排出する（Ｓ１１）。
【００６８】
このようにＨＤ２０ａに録画してある番組データをＤＶＤ１９ａにダビングする際に、ダビング対象としてユーザにより選択された番組データのタイトルに類似するタイトルの番組データがＤＶＤ１９ａに録画されているかを検索することにより、同一のＤＶＤ１９ａに関連のある番組データを録画させたい場合に、誤ったＤＶＤ１９ａへのダビングを防止することができる。
【００６９】
上述した実施形態では、ＨＤ２０ａからＤＶＤ１９ａへダビングする番組データを選択するためのＨＤＤ録画リストは、図４（ａ）に示すように、ＨＤ２０ａに録画してある番組データの番組情報を表示する構成について説明したが、例えばＨＤ２０ａに録画してある各番組データのサムネイル画像を表示する構成としてもよい。また、ＨＤ２０ａに録画してある各番組データについて、モニタ装置３での再生処理又はＤＶＤ１９ａへのダビング処理が行なわれたか否かを示す処理情報を録画管理テーブルに登録しておき、ＨＤＤ録画リストに、各番組データが再生処理又はダビング処理を行なわれたか否かを表示させる構成としてもよい。このようなＨＤＤ録画リストを用いることにより、ＨＤ２０ａからＤＶＤ１９ａへダビングする番組データを選択するユーザは、所望の番組データをより容易に見つけ出すことができる。
【００７０】
上述した実施形態の録画装置１は、ＨＤ２０ａからＤＶＤ１９ａへダビングすべく選択された番組データの番組タイトルに類似する番組タイトルの番組データがＤＶＤ１９ａに録画されているかを検索する構成としてあるが、例えば、各番組データの録画曜日及び録画開始時刻、又は放送チャンネル等に基づく検索処理を行なう構成としてもよい。具体的には、制御部１０は、ユーザによって選択された番組データの録画開始日時をＨＤ録画管理テーブルに登録してある録画情報から抽出し、抽出した録画開始日時における曜日及び時刻を検索キーワードとして、ＤＶＤ１９ａに記憶してあるＤＶＤ録画管理テーブルに登録してある録画情報に対して検索を行なう。
【００７１】
これにより、ＨＤ２０ａからＤＶＤ１９ａへダビングすべく選択された番組データの録画曜日及び録画時刻が一致する番組データを録画していないＤＶＤ１９ａが録画装置１に装着された場合であっても、このＤＶＤ１９ａへのダビングを行なうか否かの再確認を行なうことができるので、例えば連続ドラマのように所定曜日の所定時刻に毎週放送される番組を同一のＤＶＤ１９ａにダビングしたい場合に誤ったＤＶＤ１９ａへのダビングを防止することができる。
【００７２】
上述した実施形態では、録画装置１に装着されたＤＶＤ１９ａがライトワンス型のＤＶＤである場合に、ユーザによって選択された番組データの番組タイトルに類似する番組タイトルの番組データがＤＶＤ１９ａに録画されているかを検索する構成について説明したが、書き換え型のＤＶＤ１９ａが録画装置１に装着された場合にも同様の検索処理を行なうようにしてもよい。また、録画装置１における脱着式記録媒体としてはＤＶＤに限られない。
【００７３】
また、上述した実施形態では、ＨＤ２０ａからＤＶＤ１９ａへダビングすべく選択された番組データの番組タイトルに類似する番組タイトルの番組データがＤＶＤ１９ａに録画されていない場合に、この時点で装着されているＤＶＤ１９ａへのダビングを行なうか否かの指示をユーザから受け付ける構成について説明したが、このような指示を受け付けずに、類似する番組タイトルの番組データがＤＶＤ１９ａに録画されていないと判断した時点でＤＶＤ１９ａを排出する構成としてもよい。
【００７４】
更に、上述した実施形態では、図４（ａ）に示すように、ＨＤ２０ａからＤＶＤ１９ａにダビングする番組データとしてタイトルが「ＸＹＺドラマ第２話」の番組のみが選択された例について説明したが、複数の番組を一括して選択することもできる。この場合、選択された複数の番組のタイトルに基づく検索処理を行なえばよく、更に、ダビング先であるＤＶＤ１９ａにおける残容量に基づいて、選択された複数の番組のうちのＤＶＤ１９ａへのダビングが可能な番組を特定し、ユーザに通知する構成とすることもできる。
【図面の簡単な説明】
【００７５】
【図１】本発明に係る録画装置の構成例を示すブロック図である。
【図２】（ａ）は予約管理テーブルの登録内容の例を示す模式図、（ｂ）はＤＶＤ録画管理テーブルの登録内容の例を示す模式図である。
【図３】ＨＤ録画管理テーブルの登録内容の例を示す模式図である。
【図４】（ａ）ＨＤＤ録画リストの構成例を示す模式図、（ｂ）及び（ｃ）は通知画面の構成例を示す模式図である。
【図５】本発明に係る録画装置によるダビング処理の手順を示すフローチャートである。
【符号の説明】
【００７６】
１  録画装置
１０  制御部（受付手段、検索手段、通知手段、検出手段）
１９  ＤＶＤドライブ（ダビング手段）
１９ａ  ＤＶＤ（脱着式記録媒体）
２０  ＨＤＤ
２０ａ  ＨＤ（記録媒体）
【図１】
2006262012.tif 000003
【図２】
2006262012.tif 000004
【図３】
2006262012.tif 000005
【図４】
2006262012.tif 000006
【図５】
2006262012.tif 000007